(57)【要約】      （修正有）【課題】アンカーピンを軸心に沿って確実に進入させることが可能なアンカー打ち込み用アダプターを提供する。【解決手段】アンカー打ち込み用アダプター２は、打撃が与えられる打ち込み棒４が一端から挿入され、外部から保持可能な筒状本体１７と、ピン１１の頭部に当接されるこま部１５と、軸方向に沿って遊動可能にこま部１５を保持し、筒状本体１７の他端を覆う筒状装着部１４と、こま部１５及びピン１１の頭部を覆うように筒状装着部１４に装着された被覆部１３と、を具備する。筒状本体１７を保持した状態で、こま部１５を介してピン１１の頭部に打ち込み棒４から打撃を与えてピン１１をアンカー軸部５内に圧入し、軸部５に設けた脚部５Ｂを拡張してアンカー軸部５を建材に固定させている。【選択図】図１
0003199256.tif 000002
【実用新案登録請求の範囲】
【請求項１】
軸方向に沿って内部に設けられたピン挿通孔が一端で開口し、この開口から前記ピン挿通孔に挿入されるピンの圧入によって拡張される脚部を他端側に設けているアンカー軸部を有し、このアンカー軸部が建材に固定されるアンカーに用いられるアンカー打ち込み用アダプターにおいて、
打撃が与えられる打ち込み棒が一端から挿入され、外部から保持可能な筒状本体と、前記ピンの頭部に当接されるこま部と、前記軸方向に沿って遊動可能にこま部を保持し、前記筒状本体の他端を覆う筒状装着部と、前記こま部及び前記ピンの頭部を覆うように前記筒状装着部に装着された被覆部と、を具備し、前記筒状本体を保持した状態で、前記こま部を介して前記ピンの頭部に前記打ち込み棒から打撃を与えて前記ピンを前記アンカー軸部内に圧入し、前記脚部を拡張してアンカー軸部を建材に固定させるに利用されるアンカー打ち込み用アダプター。
【請求項２】
軸方向に沿って内部に設けられたピン挿通孔が一端で開口し、この開口から前記ピン挿通孔に挿入されるピンの圧入によって拡張される脚部を他端側に設けているアンカー軸部を有し、このアンカー軸部が建材に固定されるアンカーに用いられるアンカー打ち込み用アダプターにおいて、
打撃が与えられる打ち込み棒が一端から挿入され、外部から保持可能な筒状本体と、前記ピンの頭部に当接される突出した当接部を有し、前記筒状本体の他端部内に充填されているブロック部と、前記筒状本体の他端側を覆う筒状装着部と、前記当接部及び前記ピンの頭部を覆うように、前記筒状装着部に装着された被覆部と、を具備し、前記筒状本体を保持した状態で、前記当接部を介して前記ピンの頭部に前記打ち込み棒から打撃を与えて前記ピンを前記アンカー軸部内に圧入し、前記脚部を拡張してアンカー軸部を建材に固定させるに利用されるアンカー打ち込み用アダプター。
【請求項３】
軸方向に沿って内部に設けられたピン挿通孔が一端で開口し、この開口から前記ピン挿通孔に挿入されるピンの圧入によって拡張される脚部を他端側に設けているアンカー軸部を有し、このアンカー軸部が建材に固定されるアンカーに用いられるアンカー打ち込み用アダプターにおいて、
打撃が与えられる打ち込み棒が一端から挿入され、外部から保持可能な筒状本体と、前記打ち込み棒の他端が前記ピンに当接するように前記打ち込み棒の軸部が挿通される挿通孔を有し、前記筒状本体の他端部内に充填され、前記打ち込み棒の軸部側を軸に沿って遊動可能に受容する受容面を有するブロック部と、前記筒状本体の他端側を覆う筒状装着部と、前記打ち込み棒の他端及び前記ピンの頭部を覆うように前記筒状装着部に装着された被覆部と、を具備し、前記筒状本体を保持した状態で、前記ピンの頭部に前記打ち込み棒の他端から打撃を与えて前記ピンを前記アンカー軸部内に圧入し、前記脚部を拡張してアンカー軸部を建材に固定させるに利用されるアンカー打ち込み用アダプター。
【請求項４】
軸方向に沿って内部に設けられたピン挿通孔が一端で開口し、この開口から前記ピン挿通孔に挿入されるピンの圧入によって拡張される脚部を他端側に設けているアンカー軸部を有し、このアンカー軸部が建材に固定されるアンカーに用いられるアンカー打ち込み用アダプターにおいて、
打撃が与えられる打ち込み棒が先端から挿入され、外部から保持可能な筒状本体と、前記打ち込み棒の先端が当接される端面を有し、前記ピンの頭部が受容される受容部を有し、前記ピンの頭部に当接される窪みが他端面に形成され、前記筒状本体の他端部内に充填されているブロック部と、前記筒状本体の他端側を覆い、前記ピンの頭部を前記窪みに受容する筒状装着部と、を具備し、前記筒状本体を保持した状態で、前記窪みを介して前記ピンの頭部に前記打ち込み棒から打撃を与えて前記ピンを前記アンカー軸部内に圧入し、前記脚部を拡張してアンカー軸部を建材に固定させるに利用されるアンカー打ち込み用アダプター。
【請求項５】
軸方向に沿って内部に設けられたピン挿通孔が一端で開口し、この開口から前記ピン挿通孔に挿入されるピンの圧入によって拡張される脚部を他端側に設けているアンカー軸部を有し、このアンカー軸部が建材に固定されるアンカーに用いられるアンカー打ち込み用アダプターにおいて、
打撃が与えられる打ち込み棒が一端から挿入され、外部から保持可能な筒状本体と、前記筒状本体の他端部内に充填され、前記打ち込み棒の軸部側を軸に沿って遊動可能に受容する受容部を有し、当該受容部が前記打ち込み棒の軸部端面に当接する端面を有し、前記ピンの頭部に当接される窪みが他端面に形成され、前記筒状本体の他端部内に充填されているブロック部と、前記筒状本体の他端側を覆い、前記ピンの頭部に当接される窪みが他端面に形成され筒状装着部と、を具備し、前記筒状本体を保持した状態で、前記窪みを介して前記ピンの頭部に前記打ち込み棒から打撃を与えて前記ピンを前記アンカー軸部内に圧入し、前記脚部を拡張してアンカー軸部を建材に固定させるに利用されるアンカー打ち込み用アダプター。
【請求項６】
軸方向に沿って内部に設けられたピン挿通孔が一端で開口し、ナットが螺合される雄ねじ部が一端側に、また、前記開口から前記ピン挿通孔に挿入されるピンの圧入によって拡張される脚部を他端側に設けているアンカー軸部を有し、このアンカー軸部が建材に固定されるアンカーに用いられるアンカー打ち込み用アダプターにおいて、
当該アンカー打ち込み用アダプターが前記雄ねじ部に螺合される雌ねじ部を内面に有し、前記アンカー軸部に螺合されるロングナットで構成され、当該雌ねじ部に押し込みボルトの雄ねじが螺合され、当該押し込みボルトの先端が前記ピンの頭部に当接させた状態で当該押し込みボルトを前記ロングナット内にねじ込むことによって、前記ピンを前記アンカー軸部内に圧入し、前記脚部を拡張してアンカー軸部を建材に固定させるに利用されるアンカー打ち込み用アダプター。
【考案の詳細な説明】
【技術分野】
【０００１】
本考案は、アンカー打ち込み用アダプターに係り、特に、コンクリートにアンカーを打ち込み固定するに際して使用するアンカー打ちこみ棒を位置決めするに適するアダプターに関する。
【背景技術】
【０００２】
打ち込みアンカーは、機械その他の構造物類の据え付けに用いられている。よく知られるように、打ち込みアンカーは、コンクリート等の建材に予め開けられる穿孔に挿入し、その後、そのアンカーの脚部を開脚させることによってアンカーをコンクリート等に固定している。より具体的には、ボルトを有するルーティアンカーでは、アンカー脚部を有する埋め込み軸部は、その内部が中空に形成され、ボルト側の一方の端面で開口されている。また、アンカー脚部は、その軸部側の他の端面に、十字状をなす切り込みが入れられ、この切り込みが軸に沿って中空内にまで達するように形成されている。このような構造の埋め込みアンカーをコンクリート等の建材に固定するに際しては、アンカー脚部が設けられた軸部が穿孔内に挿入され、一方端面の開口から打ち込みピンが挿入され、このピンが手動ハンマーにより中空内に圧入される。その結果、打ち込みピンが中空内に圧入されて、脚部がコンクリート孔内で拡張されて脚部がコンクリート壁等に圧接され、アンカーが確実にコンクリート等の建材に固定される。
【先行技術文献】
【特許文献】
【０００３】
【特許文献１】特開２０１２−３５３８５号公報
【特許文献２】特開２００２−３４９５２５号公報
【特許文献３】特開２０１５−４２７９７号公報
【考案の概要】
【考案が解決しようとする課題】
【０００４】
従来の打ち込みアンカーにあっては、アンカーに装着された打ち込みピンを手動ハンマーで打ち込み、アンカー内に圧入している。このハンマーの打ち込み作業に際しては、打ち込みピンの頭部を手動ハンマーで打撃している。しかし、軸心に沿って打撃せずに、偏芯して頭部を打撃すると、ピンに損傷を与えるばかりでなく、アンカーを変形させる虞がある。また、偏芯した打撃が繰り返されることよってアンカー脚部には、脚部を拡張する拡張力が均一に加わらず、アンカー脚部に損傷が生じる場合があり、また、コンクリート孔内の壁面に損傷を与える虞がある。その結果として、脚部が抜け止めとして機能せず、アンカーが容易にコンクリート孔から抜け落ちる虞がある。
【０００５】
この考案の目的は、アンカーにピンを圧入するに際してアンカーピンを軸心に沿って確実に進入させることが可能なアンカー打ち込み用アダプターを提供するにある。
【課題を解決するための手段】
【０００６】
上記の課題を解決するために、この考案によれば、
軸方向に沿って内部に設けられたピン挿通孔が一端で開口し、この開口から前記ピン挿通孔に挿入されるピンの圧入によって拡張される脚部を他端側に設けているアンカー軸部を有し、このアンカー軸部が建材に固定されるアンカーに用いられるアンカー打ち込み用アダプターにおいて、
打撃が与えられる打ち込み棒が一端から挿入され、外部から保持可能な筒状本体と、前記ピンの頭部に当接されるこま部と、前記軸方向に沿って遊動可能にこま部を保持し、前記筒状本体の他端を覆う筒状装着部と、前記こま部及び前記ピンの頭部を覆うように前記筒状装着部に装着された被覆部と、を具備し、前記筒状本体を保持した状態で、前記こま部を介して前記ピンの頭部に前記打ち込み棒から打撃を与えて前記ピンを前記アンカー軸部内に圧入し、前記脚部を拡張してアンカー軸部を建材に固定させるに利用されるアンカー打ち込み用アダプターが提供される。
【０００７】
また、上記の課題を解決するために、この考案によれば、軸方向に沿って内部に設けられたピン挿通孔が一端で開口し、この開口から前記ピン挿通孔に挿入されるピンの圧入によって拡張される脚部を他端側に設けているアンカー軸部を有し、このアンカー軸部が建材に固定されるアンカーに用いられるアンカー打ち込み用アダプターにおいて、
打撃が与えられる打ち込み棒が一端から挿入され、外部から保持可能な筒状本体と、前記ピンの頭部に当接される突出した当接部を有し、前記筒状本体の他端部内に充填されているブロック部と、前記筒状本体の他端側を覆う筒状装着部と、前記当接部及び前記ピンの頭部を覆うように、前記筒状装着部に装着された被覆部と、を具備し、前記筒状本体を保持した状態で、前記当接部を介して前記ピンの頭部に前記打ち込み棒から打撃を与えて前記ピンを前記アンカー軸部内に圧入し、前記脚部を拡張してアンカー軸部を建材に固定させるに利用されるアンカー打ち込み用アダプターが提供される。
【０００８】
同様に、上記の課題を解決するために、この考案によれば、軸方向に沿って内部に設けられたピン挿通孔が一端で開口し、この開口から前記ピン挿通孔に挿入されるピンの圧入によって拡張される脚部を他端側に設けているアンカー軸部を有し、このアンカー軸部が建材に固定されるアンカーに用いられるアンカー打ち込み用アダプターにおいて、
打撃が与えられる打ち込み棒が一端から挿入され、外部から保持可能な筒状本体と、前記打ち込み棒の他端が前記ピンに当接するように前記打ち込み棒の軸部が挿通される挿通孔を有し、前記筒状本体の他端部内に充填され、前記打ち込み棒の軸部側を軸に沿って遊動可能に受容する受容面を有するブロック部と、前記筒状本体の他端側を覆う筒状装着部と、前記打ち込み棒の他端及び前記ピンの頭部を覆うように前記筒状装着部に装着された被覆部と、を具備し、前記筒状本体を保持した状態で、前記ピンの頭部に前記打ち込み棒の他端から打撃を与えて前記ピンを前記アンカー軸部内に圧入し、前記脚部を拡張してアンカー軸部を建材に固定させるに利用されるアンカー打ち込み用アダプターが提供される。
【０００９】
更に、上記の課題を解決するために、この考案によれば、軸方向に沿って内部に設けられたピン挿通孔が一端で開口し、この開口から前記ピン挿通孔に挿入されるピンの圧入によって拡張される脚部を他端側に設けているアンカー軸部を有し、このアンカー軸部が建材に固定されるアンカーに用いられるアンカー打ち込み用アダプターにおいて、
打撃が与えられる打ち込み棒が先端から挿入され、外部から保持可能な筒状本体と、前記打ち込み棒の先端が当接される端面を有し、前記ピンの頭部が受容される受容部を有し、前記ピンの頭部に当接される窪みが他端面に形成され、前記筒状本体の他端部内に充填されているブロック部と、前記筒状本体の他端側を覆い、前記ピンの頭部を前記窪みに受容する筒状装着部と、を具備し、前記筒状本体を保持した状態で、前記窪みを介して前記ピンの頭部に前記打ち込み棒から打撃を与えて前記ピンを前記アンカー軸部内に圧入し、前記脚部を拡張してアンカー軸部を建材に固定させるに利用されるアンカー打ち込み用アダプターが提供される。
【００１０】
更にまた、上記の課題を解決するために、この考案によれば、軸方向に沿って内部に設けられたピン挿通孔が一端で開口し、この開口から前記ピン挿通孔に挿入されるピンの圧入によって拡張される脚部を他端側に設けているアンカー軸部を有し、このアンカー軸部が建材に固定されるアンカーに用いられるアンカー打ち込み用アダプターにおいて、
打撃が与えられる打ち込み棒が一端から挿入され、外部から保持可能な筒状本体と、前記筒状本体の他端部内に充填され、前記打ち込み棒の軸部側を軸に沿って遊動可能に受容する受容部を有し、当該受容部が前記打ち込み棒の軸部端面に当接する端面を有し、前記ピンの頭部に当接される窪みが他端面に形成され、前記筒状本体の他端部内に充填されているブロック部と、前記筒状本体の他端側を覆い、前記ピンの頭部に当接される窪みが他端面に形成され筒状装着部と、を具備し、前記筒状本体を保持した状態で、前記窪みを介して前記ピンの頭部に前記打ち込み棒から打撃を与えて前記ピンを前記アンカー軸部内に圧入し、前記脚部を拡張してアンカー軸部を建材に固定させるに利用されるアンカー打ち込み用アダプターが提供される。
【００１１】
また、更に、上記の課題を解決するために、この考案によれば、軸方向に沿って内部に設けられたピン挿通孔が一端で開口し、ナットが螺合される雄ねじ部が一端側に、また、前記開口から前記ピン挿通孔に挿入されるピンの圧入によって拡張される脚部を他端側に設けているアンカー軸部を有し、このアンカー軸部が建材に固定されるアンカーに用いられるアンカー打ち込み用アダプターにおいて、
当該アダプターが前記雄ねじ部に螺合される雌ねじ部を内面に有し、前記アンカー軸部に螺合されるロングナットで構成され、
当該雌ねじ部に押し込みボルトの雄ねじが螺合され、当該押し込みボルトの先端が前記ピンの頭部に当接させた状態で当該押し込みボルトを前記ロングナット内にねじ込むことによって、前記ピンを前記アンカー軸部内に圧入し、前記脚部を拡張してアンカー軸部を建材に固定させるに利用されるアンカー打ち込み用アダプターが提供される。
【考案の効果】
【００１２】
本考案のアンカー打ち込み用アダプターにおいては、アンカーにピンを圧入するに際してアンカーピンを軸心に沿って確実に進入させることができる。
【図面の簡単な説明】
【００１３】
【図１】本考案の実施の形態１に係るコンクリートに打ち込み固定されるルーティアンカー、このルーティアンカーに打ちこまれるアンカーピンを打撃する打ち込み棒及びこの打ち込み棒を保持するアダプターの組み合わせ構造を概略的に示す断面図である。
【図２】図１に示す実施の形態１の変形例に係るルーティアンカー、打ち込み棒及びアダプターの組み合わせ構造を概略的に示す断面図である。
【図３】図１に示す実施の形態１の他の変形例に係るルーティアンカー、打ち込み棒及びアダプターの組み合わせ構造を概略的に示す断面図である。
【図４】本考案の実施の形態２に係るコンクリートに打ち込み固定されるルーティアンカー、このルーティアンカーに打ちこまれるアンカーピンを打撃する打ち込み棒及びこの打ち込み棒を保持するアダプターの組み合わせ構造を概略的に示す断面図である。
【図５】図４に示す実施の形態２の変形例に係るルーティアンカー、打ち込み棒及びアダプターの組み合わせ構造を概略的に示す断面図である。
【図６】本考案の実施の形態３に係るコンクリートに打ち込み固定されるルーティアンカー、このルーティアンカーに打ちこまれるアンカーピンを打撃する打ち込み棒及びこの打ち込み棒を保持するアダプターの組み合わせ構造を概略的に示す断面図である。
【考案を実施するための形態】
【００１４】
以下、本考案の実施の形態に係るアンカー打ち込み用アダプターついて、図面を参照して詳細に説明する。以下の実施の形態の説明においては、ルーティアンカー、打ち込み棒及びアダプターの組み合わせに係る種々の構造を説明している。ここで、図面中に同一符号を付した箇所或いは部分は、同一箇所或いは同一部分を示すものとしてその説明を省略する。従って、実施の形態の説明において、図面中に同一符号を付した箇所或いは部分については、特定の実施の形態に限らず他の実施の形態の説明を参照されたい。
【００１５】
[実施の形態１]
図１は、本考案の実施の形態１に係るルーティアンカー３上に打ち込み棒４を保持するアンカー打ち込み用アダプター２を示している。
【００１６】
ルーティアンカー３をコンクリート６等の建材に打ち込み固定するに際しては、図１に示すコンクリート６等の建材には、予めルーティアンカー３の軸部５を挿入するに適するアンカー装着孔７がコンクリートドリル（図示せず）によって削孔されて形成される。アンカー装着孔７が形成されると、削孔の際に生じた切粉がブロワー（図示せず）で除去され、アンカー装着孔７にルーティアンカー３の軸部５が装着される。ここで、アンカー装着孔７の内径は、ルーティアンカー３の軸部５の外径に略等しく、或いは、僅かに大きく形成され、ルーティアンカー３の軸部５が実質的にアンカー装着孔７に適合するように形成されている。ここで、アンカー装着孔７は、軸部５がアンカー装着孔７に装着された際に、ボルト部１０がコンクリート６の面から外部に露出するような深さが与えられて形成される。
【００１７】
ルーティアンカー３の軸部５は、アンカー装着孔７に適合する柱状に形成され、その内部には、ピン１１を挿入可能に柱状の空洞（ピン挿通孔）が形成されている。また、ルーティアンカー３の先端面には、十字状、或いは、直線状の切り込み８が形成され、この切り込み８が空洞に達するように軸部５に沿って延在されている。従って、軸部５の先端部には、切り込み８で区分された脚部５Ｂが形成される。
【００１８】
軸部５には、雄ねじが形成されているボルト部１０が設けられ、ナット９の雌ねじがボルト部１０の雄ねじに螺合され、ボルト部１０にナット９が装着される。また、ルーティアンカー３のボルト部１０の端面には、上述した柱状空洞（ピン挿通孔）に連通するピン開口が形成されている。ルーティアンカー３をコンクリート６に固定する際には、図１に示すようにピン１１がピン開口を介して軸部５内のピン挿通孔に挿入され、このピン１１の頭部が打ち込み棒４によって打ちこまれ、ピン１１が軸部５内の狭小空間に押し込まれる。ピン１１の先端は、例えば、楔状或いは円錐状に形成され、十字状溝或いは直線状溝が形成される狭小空間の空洞部も同様に楔状或いは円錐状に形成されている。従って、ピン１１の先端がこの狭小空間に進入してその周囲の壁面を外方に広げると、溝で区分されている脚部５Ｂが拡張されて拡がり、アンカー装着孔７内のコンクリート６に食い込むように固定される。その結果、ルーティアンカー３がコンクリート６に固定される。このように固定されたルーティアンカー３では、機器の固定部、例えば、装着孔（図示せず）が軸部５に装着されてボルト部１０及びナット９によって狭持固定されて機器がルーティアンカー３に載置固定される。
【００１９】
ピン１１の打ち込みに際しては、図１に示すように、アダプター２の筒状円錐被覆部１３がピン１１の頭部及びボルト部１０の端面を覆うように被され、この被覆部１３が取り付けられた筒状装着部１４に設けた中実のこま部１５がピン１１の頭部に当接される。この被覆部１３は、打撃に伴いこま部１５或いはピン１１の頭部から飛び散る粉塵等が外部に飛散するのを防止する為に設けられている。従って、被覆部１３は、衝撃或いは打撃を吸収可能に可撓性材料で作られていることが好ましい。筒状装着部１４は、アダプター２の筒状本体１７の一端開口側に装着され、こま部１５は、筒状装着部１４の端部に筒状本体１７の中心軸方向に沿って上下動可能に嵌め込まれている。こま部１５には、筒状装着部１４の端部から外れないように両端面にフランジ部が設けられ、筒状装着部１４の端部に開けた穴に遊嵌されている。
【００２０】
また、筒状本体１７内には、他端開口から打ち込み棒４が挿入され、径が狭小に形成されている打撃先端部１９の端面がこま部１５に当接されている。筒状本体１７の内径は、打ち込み棒４の本体径よりも僅かに大きく定められ、筒状本体１７内で打ち込み棒４が上下動可能に設定されている。
【００２１】
打ち込み棒４を用いる打ち込みに際しては、筒状本体１７を手或いは工具で保持し、打ち込み棒４の頭部をハンマードリル或いは手動ハンマー（いずれも図示せず）で打撃し、打撃先端部１９の端面をこま部１５に叩き付けている。打撃の際には、反動で打ち込み棒４が上下動するが筒状本体１７内でその動きが規制され、筒状本体１７を保持している限り、打ち込み棒４が大きく傾くことが防止される。また、こま部１５は、打撃先端部１９の端面が打撃することによって、ピン１１の頭部を打撃し、ピン１１をルーティアンカー３内に押し込めることとなる。ここで、こま部１５も打撃が加わる毎に上下動するが、そのこま部１５の上下動も筒状本体１７の軸方向に規制され、反動で打ち込み棒４を筒状本体１７の軸方向以外の方向に向けることを防止することができる。結果として、ピン１１には、ピン１１の軸方向に向けた進入力が加わり、ルーティアンカー３内に比較的正確に軸方向に沿って押し込めることができる。
【００２２】
このようにピン１１の打ち込みに際しては、図１に示すようなアダプター２を用いて打ち込み棒４に打撃を加えることによって、偏芯した打撃がピン１１に繰り返し加わることを防止することができ、アンカー脚部５Ｂに、比較的均一な拡張力を加えて拡張することができる。その結果、アンカー脚部への損傷を防止し、また、コンクリート孔内の壁面へ損傷を与えることを防止することができ、脚部が抜け止めとして機能せず、アンカーが容易にコンクリート孔から抜け落ちるような事態を防止することができる。
【００２３】
図２に示されるように、実施の形態１の変形例では、アダプター２のこま１５が筒状装着部１４に設けられず、筒状装着部１４内の先端部が中実なブロック１６に形成されている。そして、このブロック１６は、打ち込み棒４の先端部全体を受容する受容面を有するように形成され、このブロック１６の頭部１６Ｂが筒状装着部１４の挿通孔を介して外部に突出されてこのブロック１６にピン１１の頭部に当接される頭部１６B（当接部）が設けられている。より詳細には、打ち込み棒４の先端部は、中心の円柱状の打撃部が本体部から突出されてステップ状に形成されている。この円柱状の打撃部及びその周辺のステップ部の形状に適合するようにブロック１６には、窪み及び挿通穴が形成されている。従って、この構造のアダプター２では、打撃に際しては、打ち込み棒４の打撃は、ブロック１６の受容部全体（受容面全体）に加わり、比較的大きな質量があるブロック１６に与えられ、当接部としての頭部１６Ｂに伝達される。そして、ブロック１６の頭部１６Ｂがピン１１の頭部を打撃し、ピン１１をルーティアンカー３内に押し込めている。
【００２４】
このように、打ち込み棒４は、先端部全体がブロック１６に当接されることから、打ち込みに際しては、打ち込み棒４を筒状本体１７の軸方向以外の方向に向けることを防止することができる。結果として、ピン１１には、ピン１１の軸方向に向けた進入力が加わり、ルーティアンカー３内に比較的正確に軸方向に沿って押し込めることができる。
【００２５】
図３に示されるように、実施の形態１の他の変形例では、図２に示す実施の形態と同様に、アダプター２のこま１５が筒状装着部１４に設けられず、筒状装着部１４内の先端部が中実なブロック１６に形成されている。そして、このブロック１６は、打ち込み棒４のステップ部を受容する形状の受容面に形成され、打ち込み棒４の中心の円柱状の打撃部（軸部）がブロック１６に設けられた挿通孔を通過してアダプター２の端面外にまで延出されている。従って、この構造のアダプター２では、打撃に際しては、打ち込み棒４の先端部が直接にピン１１の頭部を打撃し、ピン１１をルーティアンカー３内に押し込めている。
【００２６】
図３に示される構造では、打ち込み棒４のステップがブロック１６に当接されることから、打ち込みに際しては、打ち込み棒４の移動量を規制することができ、筒状本体１７の軸方向以外の方向に向ける不用意な反動を減少させることができる。結果として、ピン１１には、打ち込み棒４から直接にピン１１の軸方向に向けた進入力が加わり、ルーティアンカー３内に比較的正確に軸方向に沿って押し込めることができる。
【００２７】
[実施の形態２]
図４は、本考案の実施の形態２に係るルーティアンカー３上に打ち込み棒４を保持するアンカー打ち込み用アダプター２を示している。
【００２８】
図４に示されるように、実施の形態２においては、アダプター２の筒状装着部１４内の先端部には、中実なブロック１６が充填され、打ち込み棒４が接触される端面は、平坦に形成され、その他端の端面には、窪みが形成されている。筒状装着部１４の端面にこの窪みに対応して窪み２１が形成されている。この窪み２１は、ピン１１の頭部を受容する形状の受容面に形成され、打撃時にブロック１６及び筒状装着部１４の端面に設けた窪み２１の内面がピン１１の頭部に確実に密着されるように形成されている。
【００２９】
図４に示される構造のアダプター２においては、打ち込みに際しては、筒状本体１７がされ保持し、打ち込み棒４が打撃されて打撃先端部１９の端面がブロック１６に叩き付けられている。ブロック１６に伝達された打撃力は、ピン１１の頭部を受容する窪み２１に集中して伝達され、ピン１１の頭部に伝達され、ピン１１をルーティアンカー３内に押し込めることとなる。ここで、打撃の際には、反動で打ち込み棒４が上下動するが筒状本体１７内でその動きが規制され、打ち込み棒４が大きく傾くことが防止される。また、ピン１１の頭部に打撃力が伝達されることから、ピン１１を確実にルーティアンカー３内に押し込めることができる。ここで、ブロック１６を設けたアダプター２は、打撃が加わる毎に上下動されているが、ブロック１６の端面に窪みが設けられていることから、ピン１１の頭部をブロック１６の端面の窪み２１に比較的容易に位置させることができ、打撃時の反動で打ち込み棒４が筒状本体１７の軸方向以外の方向に向けられることを防止することができる。結果として、ピン１１には、ピン１１の軸方向に向けた進入力が加わり、ルーティアンカー３内に比較的正確に軸方向に沿って押し込めることができる。
【００３０】
図５に示されるように、実施の形態２の変形例では、アダプター２のブロック１６は、打ち込み棒４の先端部全体を受容する形状の受容面に形成されている。より詳細には、打ち込み棒４の先端部は、中心の円柱状の打撃部が本体部から突出されてステップ状に形成されている。この円柱状の打撃部及びその周辺のステップ部の形状に適合するようにブロック１６には、窪み及び挿通穴が形成されている。従って、この構造のアダプター２では、打撃に際しては、打ち込み棒４の打撃は、ブロック１６の受容部全体（受容面全体）に加わり、比較的大きな質量があるブロック１６を介して頭部１６Ｂに伝達される。そして、ブロック１６の窪み２１がピン１１の頭部を打撃し、ピン１１をルーティアンカー３内に押し込めている。
【００３１】
このように、打ち込み棒４は、先端部全体がブロック１６に当接されることから、打ち込みに際しては、打ち込み棒４を筒状本体１７の軸方向以外の方向に向けることを防止することができる。結果として、ピン１１には、ピン１１の軸方向に向けた進入力が加わり、ルーティアンカー３内に比較的正確に軸方向に沿って押し込めることができる。
【００３２】
[実施の形態３]
図６は、本考案の実施の形態３に係るルーティアンカー３上に押し込みボルト２４を保持するアンカー用アダプター２としてのロングナット２５を示している。
【００３３】
図６に示される実施の形態３においては、第１及び第２の実施の形態１、２とは異なり、打ち込み棒４を用いずに、打ち込みピン１１を押し込む押し込みボルト２４及びロングナット２５で構成されたアンカー用アダプター２が用いられている。
【００３４】
図６に示されるようにロングナット２５は、筒状であってその内には、軸に沿って、ボルト部２５の雄ねじに螺合する雌ねじが形成されている。ロングナット２５は、打ち込みピン１１の押し込みに際しては、ボルト部２５に螺合装着され、また、押し込みボルト２４がこのロングナット２５に螺合装着される。押し込みボルト２４には、ロングナット２５の雌ねじに螺合する雄ねじが形成されている。押し込みボルト２４がロングナット２５を介してルーティアンカー３のナット９に装着されて状態で、押し込みボルト２４の頭部にボックスレンチ２６が装着され、このボックスレンチ２６がインパクト電動ドライバ或いはスパナ等で締め込まれると、押し込みボルト２４が回転されてその軸部がロングナット２５内を進み、打ち込みピン１１に当接される。打ち込みピン１１への当接後、更に押し込みボルト２４が締め付けられると、打ち込みピン１１がルーティアンカー３の軸部５内に圧入される。その結果、打ち込みピン１１がアンカー脚部５Ｂを拡張するように拡がり、アンカー脚部５Ｂがアンカー装着孔７内のコンクリート６に食い込むように固定される。
【００３５】
図６に示す実施の形態３においては、打ち込み棒４に打撃を加えるに代えてロングナット２５で構成されたアンカー用アダプター２が用いられ、ルーティアンカー３のピン１１には、打撃が与えられずに、ボルト２４から押し込む圧入力が緩やかに加えられてピン１１がルーティアンカー３の軸部５内に圧入されている。従って、打撃がピン１１に繰り返し加わることによる不具合、例えば、偏芯に基づく損傷等を防止することができる。より具体的には、アンカー脚部５Ｂには、比較的均一な拡張力が加わって拡張されることから、アンカー脚部への損傷を防止し、また、コンクリート孔内の壁面へ損傷を与えることを防止することができる。また、脚部が抜け止めとして機能せず、アンカーが容易にコンクリート孔から抜け落ちるような事態を防止することができる。
【００３６】
以上のように、この考案のアンカー打ち込み用アダプターによれば、アンカーにピンを圧入するに際してアンカーピンを軸心に沿って確実に進入させることができる。
【００３７】
この考案は、上記各実施形態そのままに限定されるものではなく、実施段階ではその要旨を逸脱しない範囲で構成要素を変形して具体化できる。また、上記各実施の形態に開示されている複数の構成要素の適宜な組み合せにより種々の発明を形成できる。例えば、各実施形態に示される全構成要素から幾つかの構成要素を削除してもよい。さらに、異なる実施形態に亘る構成要素を適宜組み合せてもよい。
【符号の説明】
【００３８】
２・・・アンカー打ち込み用アダプター、３・・・ルーティアンカー、４・・・打ち込み棒、５・・・軸部、５Ｂ・・・アンカー脚部、６・・・コンクリート、７・・・アンカー装着孔、８・・・切り込み、９・・・ナット、１０・・・ボルト部、１１・・・ピン、１３・・・被覆部、１４・・・筒状装着部、１５・・・こま部、１６・・・ブロック、１６Ｂ・・・頭部、１７・・・筒状本体１７、１９・・・打撃先端部、２１・・・窪み、２４・・・押し込みボルト、２４Ｂ・・・、２５・・・ロングナット、２６・・・ボックスレンチ
【図１】
0003199256.tif 000003
【図２】
0003199256.tif 000004
【図３】
0003199256.tif 000005
【図４】
0003199256.tif 000006
【図５】
0003199256.tif 000007
【図６】
0003199256.tif 000008